(57)【要約】【課題】 被加工物の端面を低コストで簡単に仕上げ処理することができる鏡面加工方法および鏡面加工装置を提供することである。  【解決手段】 バイトホルダ３１は、前面に粗削りバイト３２および仕上げ削りバイト３３が取り付けられ、回転軸の軸心１００を中心に矢印Ｂ方向に高速回転しながら端面２１に平行な矢印Ａ方向に移動するように構成されている。仕上げ削りバイト３３は、粗削りバイト３２よりも軸心１００に近い位置に取り付けられているので、被加工物２の端面２１を連続的に粗削りおよび仕上げ削りする。その際、前記被加工物をワークホルダで固定保持し、かつ前記被加工物の被加工端面に直交する両側面のうちバイトホルダの移動方向下流側の側面をストッパに当接させている。【選択図】  図１
2008183715.tif 000002
【特許請求の範囲】
【請求項１】
被加工物の端面を、粗削りおよび仕上げ削りの順に切削加工する鏡面加工方法であって、
前記被加工物が、複数枚のフィルムが粘着剤を介して積層された積層フィルムを複数枚重ね合わせた集合体であり、
仕上げ削りバイトを粗削りバイトよりも回転軸の軸心に近い位置に取り付け、かつバイトホルダの前面からの突出長さが粗削りバイトの突出長さよりも長くなっている状態でバイトホルダを高速回転させながら移動させて前記被加工物を切削加工するにあたり、
前記被加工物をワークホルダで固定保持し、かつ前記被加工物の被加工端面に直交する両側面のうちバイトホルダの移動方向下流側の側面をストッパに当接させることを特徴とする鏡面加工方法。
【請求項２】
被加工物の端面を、粗削りおよび仕上げ削りの順に連続的に切削加工する鏡面加工方法であって、
前記被加工物がプラスチックフィルムまたはプラスチック板を複数枚重ね合わせた積層板であり、
仕上げ削りバイトを粗削りバイトよりも回転軸の軸心に近い位置に取り付け、かつバイトホルダの前面からの突出長さが粗削りバイトの突出長さよりも長くなっている状態でバイトホルダを高速回転させながら移動させて前記被加工物を切削加工するにあたり、
前記被加工物をワークホルダで固定保持し、かつ前記被加工物の被加工端面に直交する両側面のうちバイトホルダの移動方向下流側の側面をストッパに当接させることを特徴とする鏡面加工方法。
【請求項３】
平面形状が多角形である被加工物の第１端面から最終端面まで、角部のバリを除去しながら順に粗削りおよび仕上げ削りを行い、最終端面を切削後、再度、第１端面を同条件にて粗削りおよび仕上げ削りして、最終端面の角部に残ったバリを除去する請求項１または２に記載の鏡面加工方法。
【請求項４】
粗削りおよび仕上げ削り直後の切り屑を吸引除去する請求項１〜３のいずれかに記載の鏡面加工方法。
【請求項５】
回転軸と、この回転軸の先端に取り付けられ回転軸の軸心と直交する前面を有するバイトホルダと、このバイトホルダの前面に取り付けられた粗削りバイトおよび仕上バイトと、被加工物を固定保持するためのワークホルダと、前記バイトホルダの前面を前記被加工物の端面に対して平行に相対移動させるための送り手段と、前記ワークホルダに固定保持された前記被加工物の被加工端面に直交する両側面のうちバイトホルダの移動方向下流側の側面を当接させるストッパとを備え、前記仕上げ削りバイトは、前記粗削りバイトよりも前記回転軸の中心に近い位置に取り付けられ、かつ仕上げ削りバイトの前記バイトホルダからの突出長さが粗削りバイトよりも長いことを特徴とする鏡面加工装置。
【請求項６】
切削により生じた切り屑を切削位置から直ちに吸引除去するための吸引手段を前記バイトホルダの近傍に設けた請求項５記載の鏡面加工装置。
【請求項７】
前記粗削りバイトの材質が多結晶ダイヤモンドであり、前記仕上げ削りバイトの材質が単結晶ダイヤモンドである請求項５または６に記載の鏡面加工装置。
【発明の詳細な説明】
【技術分野】
【０００１】
本発明は、フライカット法を用いた、被加工物の端面の鏡面加工方法、面取り加工方法および鏡面加工装置、並びに積層フィルムの周縁仕上げ方法に関する。
【背景技術】
【０００２】
一般に、偏光フィルム等の光学フィルムは、複数枚のフィルムを粘着剤を介して積層して形成されている。このような積層された光学フィルムは、通常、多数枚を積み重ねた後、トムソン刃等の切断刃で所定の寸法にせん断され製品化される。
【０００３】
ところが、前記のような積層フィルムをせん断する場合、切断刃から積層フィルムに加わる押圧力によって粘着剤が積層フィルムの周縁からはみ出してしまうことがある。粘着剤が積層フィルムの周縁からはみ出した状態のままであると、以下のような問題が生じる。
【０００４】
（１） 積層フィルムの周縁からはみ出した粘着剤が粒状のいわゆる「のり玉」となるため、複数枚の積層フィルムを積み重ねて保管や輸送したりする場合、積層フィルムと積層フィルムとの間にのり玉が入り込んで、積層フィルムに打痕（押し傷）ができ、積層フィルムの品質低下の原因となる。
（２） 液晶表示装置用として偏光フィルムや位相差フィルム等の積層フィルムを用いる際には、これらの積層フィルムを複数枚貼合して使用するが、積層フィルム間にのり玉が入り込むと、液晶表示装置の表示面においてのり玉の部分が所望の色にならなかったり、黒い点になることがある。
（３） 積層フィルムの周縁からはみ出した粘着剤にごみが付着して積層フィルムが汚れる。
（４） 積層フィルムの周縁から粘着剤がはみ出していると、積層フィルムの外観が損なわれる。
（５） 液晶表示装置を製造する自動化ラインにおいて、段積みされた複数枚の積層フィルムをロボットハンドで最上層から１枚ずつ順に取り出す際に、次に取り出すべき積層フィルムがはみ出した粘着剤により最上層の積層フィルムに引っ付いてしまうことがある。このような場合、自動化ラインを一時停止して対処しなければならないため、作業効率が低下する。
【０００５】
このため、従来は、作業者が粘着テープの粘着力を利用して、積層フィルムの周縁からはみ出したのり玉を引き剥がしていた。しかし、粘着テープによるのり玉の除去作業は、多くの労力と時間を要するため、作業効率が低下し、コストが増大する原因ともなっていた。
【０００６】
また、上記のような積層フィルムの他、端面の仕上げ加工を必要とする各種プラスチックフィルムやプラスチック板等の被加工物に対しても、端面を低コストで簡単に仕上げ処理することが要望されていた。
【発明の開示】
【発明が解決しようとする課題】
【０００７】
本発明の主たる目的は、被加工物の端面を低コストで簡単に仕上げ処理することができる鏡面加工方法、およびこの方法の実施に好適な鏡面加工装置を提供することである。特に、本発明は、複数枚のフィルムが粘着剤を介して積層された積層フィルムの周縁から粘着剤のはみ出しのない積層フィルムの周縁仕上げ方法を提供するものである。
【課題を解決するための手段】
【０００８】
本発明者らは上記課題を解決すべく鋭意研究を重ねた結果、被加工物の端面をフライカット法にて連続的に粗削りおよび仕上げ削りする場合には、平滑性の高い鏡面加工を行うことができるので、低コストでかつ簡単に仕上げ処理ができるという新たな事実を見出し、本発明を完成するに至った。
【０００９】
すなわち、本発明の鏡面加工方法は、被加工物の端面を、粗削りおよび仕上げ削りの順に切削加工する方法であって、前記被加工物が、複数枚のフィルムが粘着剤を介して積層された積層フィルムを複数枚重ね合わせた集合体であり、仕上げ削りバイトを粗削りバイトよりも回転軸の軸心に近い位置に取り付け、かつバイトホルダの前面からの突出長さが粗削りバイトの突出長さよりも長くなっている状態でバイトホルダを高速回転させながら移動させて前記被加工物を切削加工するにあたり、前記被加工物をワークホルダで固定保持し、かつ前記被加工物の被加工端面に直交する両側面のうちバイトホルダの移動方向下流側の側面をストッパに当接させることを特徴とする。ここで、被加工物として、前記集合体に代えて、例えばプラスチックフィルムまたはプラスチック板を複数枚重ね合わせた積層板等を用いることができる。
【００１０】
上記のように本発明方法を、複数枚のフィルムが粘着剤を介して積層された積層フィルムを複数枚重ね合わせた集合体に適用した場合には、たとえ積層フィルムの周縁から粘着剤がはみ出して「のり玉」が形成されていたとしても、上記鏡面加工方法によってのり玉を簡単に除去することができるので、不良品の発生や商品価値の低下を防止し、作業効率を向上させることができる。すなわち、本発明は、複数枚のフィルムが粘着剤を介して積層された積層フィルムを複数枚重ね合わせた集合体の端面をフライカット法にて連続的に粗削りおよび仕上げ削りすることを特徴とする積層フィルムの周縁仕上げ方法をも提供するものである。
【００１１】
また、上記切削加工により被加工物の端面角部にバリが発生しやすい場合には、平面形状が多角形である被加工物の第１端面から最終端面まで、角部のバリを除去しながら順に粗削りおよび仕上げ削りを行い、最終端面を切削後、再度、第１端面を同条件にて粗削りおよび仕上げ削りして、最終端面の角部に残ったバリを除去すればよい。これにより、すべての角部においてバリの除去が可能となり、切削後に別工程でバリを除去する必要がなくなる。
【００１２】
上記鏡面加工方法を実施するのに好適な本発明の鏡面加工装置は、回転軸と、この回転軸の先端に取り付けられ回転軸の軸心と直交する前面を有するバイトホルダと、このバイトホルダの前面に取り付けられた粗削りバイトおよび仕上バイトと、被加工物を固定保持するためのワークホルダと、前記バイトホルダの前面を前記被加工物の端面に対して平行に相対移動させるための送り手段と、前記ワークホルダに固定保持された前記被加工物の被加工端面に直交する両側面のうちバイトホルダの移動方向下流側の側面を当接させるストッパとを備え、前記仕上げ削りバイトは、前記粗削りバイトよりも前記回転軸の中心に近い位置に取り付けられ、かつ仕上げ削りバイトの前記バイトホルダからの突出長さが粗削りバイトよりも長いことを特徴とする。このような鏡面加工装置を使用することにより、粗削りと仕上げ削りとを１回の操作で完了させることができるので、仕上げ加工の作業効率が向上する。
【発明の効果】
【００１３】
本発明の鏡面加工方法および鏡面加工装置によれば、被加工物の端面を連続的に粗削りおよび仕上げ削りできるので、平滑性の高い鏡面加工を低コストでかつ簡単に行うことができるという効果がある。
【００１４】
従って、例えば、本発明の鏡面加工方法を、複数枚のフィルムが粘着剤を介して積層された積層フィルムを複数枚重ね合わせた集合体に適用する場合には、積層フィルムの周縁からはみ出した粘着剤を簡単に除去することができるので、不良品の発生、商品価値の低下および作業効率の低下が防止された積層フィルムの周縁加工方法を提供することができる。
【００１５】
特に、本発明では、切削加工するにあたり、被加工物をワークホルダで固定保持し、かつ被加工物の側面をストッパに当接させるので、被加工物である集合体を構成する積層フィルムの端面を揃えることができ、積層フィルム相互間のずれをなくすことができる。被加工物が、プラスチックフィルムまたはプラスチック板を複数枚重ね合わせた積層板積層板である場合も同様である。
【００１６】
さらに、本発明において、被加工物の第１端面から最終端面まで、角部のバリを除去しながら順に粗削りおよび仕上げ削りを行い、最終端面を切削後、再度、第１端面を同条件にて粗削りおよび仕上げ削りして、最終端面の角部に残ったバリを除去する場合には、すべての角部においてバリの除去が可能となり、切削後に別途バリを除去する必要がないので作業効率が一層向上するという効果がある。
【発明を実施するための最良の形態】
【００１７】
以下、本発明を図面に基づいて詳細に説明する。本発明にかかる鏡面加工方法は、被加工物の端面をフライカット法にて連続的に粗削りおよび仕上げ削りするものである。
【００１８】
粗削りおよび仕上げ削りにはそれぞれ粗削りバイトおよび仕上げ削りバイトが用いられる。図１は上記粗削りバイトおよび仕上げ削りバイトを用いたフライカット法の概略を示している。同図に示すように、粗削りバイト３２および仕上げ削りバイト３３はバイトホルダ３１の前面に取り付けられている。バイトホルダ３１は、前面が被加工物２の加工面である端面２１に平行に配置され、かつこの端面２１に平行な矢印Ａ方向に移動するように構成されている。また、バイトホルダ３１は、回転軸の軸心１００を中心に矢印Ｂ方向に高速回転するように構成されている。
【００１９】
仕上げ削りバイト３３は、図１に示すように、粗削りバイト３２よりも軸心１００に近い位置に取り付けられており、かつバイトホルダ３１の前面からの突出長さ（ｔ４）が粗削りバイト３２の突出長さ（ｔ３）よりも長くなっている（ｔ４＞ｔ３）。従って、この状態でバイトホルダ３１を高速回転させながら矢印Ａ方向に移動させると、被加工物２の端面２１は粗削りおよび仕上げ削りの順に連続的に切削加工される。これにより、鏡面加工を迅速かつ簡単に行うことが可能となる。
【００２０】
ここで、粗削りバイト３２による切り込み量（ｔ５）は、通常、約０．３〜０．４５ｍｍ、仕上げ削りバイト３３による切り込み量（ｔ６）は約０．０５〜０．２ｍｍの範囲であればよく、両切り込み量は（ｔ５）＞（ｔ６）の関係にあるのが仕上げ面の鏡面状態や寸法精度を向上させる上で好ましい。従って、前記粗削りバイト３２の突出長さ（ｔ３）および仕上げ削りバイト３３の突出長さ（ｔ４）は、それぞれの切り込み量（ｔ５）および（ｔ６）が上記関係を満足するように設定すればよい。
【００２１】
粗削りバイト３２としては例えば多結晶ダイヤモンドバイトが、仕上げ削りバイト３３の材質としては例えば単結晶ダイヤモンドバイトがそれぞれ挙げられる。
【００２２】
図２(a)および(b)はそれぞれ本発明の一実施形態にかかるバイトホルダ３１の正面図および平面図である。図２(a)および(b)には被加工物２の一部も示している。この実施形態では、被加工物２として、複数枚のフィルムが粘着剤を介して積層された積層フィルム２２を複数枚重ね合わせた集合体を使用している。従って、以下の説明では特に断らない限り、被加工物を単に「集合体２」と記載する。
【００２３】
図２(a)および(b)に示すように、バイトホルダ３１の前面には１つの粗削りバイト３２および１つの仕上げ削りバイト３３がそれぞれ取り付けられている。バイトホルダ３１は、ボルト３４により回転軸３の先端に取り付けられており、軸心１００を回転中心にして矢印Ｂ方向に高速回転しながら、矢印Ａ方向に移動するように構成されている。
【００２４】
図３は、バイトホルダ３１の回転機構を示す一部破断側面図である。同図に示すように、回転軸３は軸受け７０を介して軸カバー６２で回転自在に支承されている。バイトホルダ３１の外周側には、バイトホルダ３１を囲むように切り屑吸引用カバー６１が配置され、この切り屑吸引用カバー６１は、ボルト８２により軸カバー６２に取り付けられている。回転軸３の後端は、第１サーボモータ１０に回転継手６３を介して取り付けられており、この第１サーボモータ１０を駆動させてバイトホルダ３１を高速で回転させる。サーボモータ１０および軸カバー６２は第１スライドテーブル７３上に固定されている。
【００２５】
図４は、図３に示すバイトホルダ３１を含む鏡面加工装置１を示す正面図であり、図５はその側面図である。図４および図５に示すように、鏡面加工装置１は、工具運動系１０１およびワーク位置決め系１０２を備える。
【００２６】
＜工具運動系＞
工具運動系１０１では、バイトホルダ３１とその回転機構とが第１スライドテーブル７３上に設けられ、さらに以下のように構成される。第１スライドテーブル７３は、下面に取り付けられた第１ガイド部材６７，６７によつて第１ガイドレール６８，６８上にスライド自在に保持されている。この第１ガイドレール６８，６８は回転軸３の軸心１００と平行に配置されている。また、第１ガイドレール６８，６８間には、第１ガイドレール６８，６８と平行にねじ棒（例えばボールねじ）である切り込み軸４が配置されている。一方、前記第１スライドテーブル７３の下面には前記切り込み軸４と螺合する第１ナット部材７５（例えばボールねじナットブラケット）が取り付けられている。また、切り込み軸４の一端には第２サーボモータ１１が取り付けられている。
【００２７】
このため、第２サーボモータ１１を駆動させて切り込み軸４を回転させることにより、これと螺合する第１ナット部材７５を介して第１スライドテーブル７３を自在にスライドさせることができ、従ってバイトホルダ３１を集合体２の端面２１に対して自在に前進・後退できるので、集合体２の切り込み量を精度良く調節することができる。
【００２８】
上記した第１ガイドレール６８，６８は第２スライドテーブル７４上に配置されている。この第２スライドテーブル７４は下面に取り付けられた第２ガイド部材６５，６５によって第２ガイドレール６６，６６上にスライド自在に保持されている。第２ガイドレール６６，６６は、回転軸３の軸心１００に直交する水平方向に沿って配置される。第２ガイドレール６６，６６はベース８４上に取り付けられている。
【００２９】
第２スライドテーブル７４のスライドは、前記した第１スライドテーブル７３と同様に、第２ガイドレール６６，６６間に配置されたねじ棒（例えばボールねじ）である送り軸５と、前記第２スライドテーブル７４の下面に取り付けられた第２ナット部材７６（例えばボールねじナットブラケット）とを螺合させ、送り軸５の一端に設けた第３サーボモータ１２を駆動させて送り軸５を回転させることによって行われる。これにより、バイトホルダ３１を回転軸３の軸心１００に直交する水平方向（図４に示す矢印Ａ方向）に移動させることができ、集合体２の端面２１の切削が可能となる。
【００３０】
＜ワーク位置決め系＞
ワーク位置決め系１０２は、集合体２を所定位置に固定保持するための機構であって、以下のように構成されている。
【００３１】
図４および図５に示すように、ワーク位置決め系１０２は、集合体２を挟持するための上下一対のワークホルダ６ａ，６bを備える。下側ワークホルダ６ａは割り出し軸９によって水平方向に回転可能に保持されている。上側ワークホルダ６bはクランプ軸８により昇降自在に保持されている。これにより、集合体２は、割り出し軸９による下側ワークホルダ６ａの水平回転により切削部位が位置決めされ、クランプ軸８による上側ワークホルダ６bの下降によって加圧固定される。
【００３２】
図４に示すように、ワークホルダ６ａ，６bで挟持された集合体２の近傍にはストッパ７が設けられている。このストッパ７は集合体２を構成する積層フィルム２２，２２…の端面を揃えるためのものであって、ストッパ７を集合体２の側部に下降させて、ストッパ７に集合体２の端面を当接させて各積層フィルム２２，２２…相互間のずれをなくすようにしている。このストッパ７は一側面に設けられているが、この側面と直交する面にも別のストッパ（図示せず）を当接させて、各積層フィルム２２，２２…相互間のずれをなくすようにしてもよい。
【００３３】
一対のワークホルダ６ａ、６ｂによる集合体２の挟持は、アクリル樹脂板などの硬質樹脂板５０ａ、５０ｂおよび金属板５１ａ、５１ｂを介して行うのが好ましい。すなわち、図６に示すように、集合体２は、その両面に硬質樹脂板５０ａ、５０ｂが配置され、さらにそれらの外面に金属板５１ａ、５１ｂが配置され、これらをワークホルダ６ａ、６ｂで挟持している。
【００３４】
硬質樹脂板５０ａ、５０ｂは集合体２とほぼ同じ面積を有しており、従って集合体２の切削時には硬質樹脂板５０ａ、５０ｂも同時に切削されるが、このような硬質樹脂板５０ａ、５０ｂを使用することにより、切削時の集合体２の撓みおよびばたつきを防止でき、精密切削が可能となる。一方、金属板５１ａ、５１ｂは、集合体２の撓みやばたつきを確実に防止し、集合体２の上下面を互いに平行に維持しながら集合体２を確実に保持するためのものであって、集合体２の切削時に同時に切削されないように端部が切削位置よりも内方に位置している。
【００３５】
図７は、鏡面加工装置１における工具運動系１０１およびワーク位置決め系１０２のシステム構成を示したブロック図である。図７に示すように、オペレータがタッチパネルから鏡面加工装置１の運転条件、運転開始命令などを入力すると、ＰＬＣ（シーケンス制御装置）により、位置決めユニット、ＤＡコンバータおよびＩ／０を介して、送り軸５、切り込み軸４、回転軸３、割り出し軸９、クランプ軸８およびストッパ７が前記運転条件により定められた順序およびタイミングに従って動作するように構成される。前記クランプ軸８は空気シリンダにより、割り出し軸９はサーボモータ（図示せず）により駆動する。このように、工具運動系１０１とワーク位置決め系１０２の全ての軸の位置や移動速度がサーボ機構により制御されているので、全ての機能を集中して一括制御でき、高速制御、変数管理、直線補間、円弧補間等の多彩な運動制御が容易に実現できる。また、鏡面加工装置１は上記のように多軸構成となっているが機能が分離されているので、高精度の切削加工を低コストで実現でき、装置の保全も容易である。
【００３６】
図８（ａ）および（ｂ）はそれぞれ切削加工により生じた切り屑を切削位置から直ちに吸引除去するための吸引手段を示した側面図および正面図である。この吸引手段は、バイトホルダ３１の前面を除くバイトホルダ３１全体を囲むように配置された切り屑吸引用カバー６１と、バイトホルダ３１の外周面近傍でかつバイトホルダ３１の背面側に設けられたサイドポート７１、カバー６１の外周面に設けられたペリフェラルポート７２および中央に設けられたセンターポート７３からなる。これらのサイドポート７１、ペリフェラルポート７２およびセンターポート７３からカバー６１内の切り屑をそれぞれ吸引し、各ポート７１，７２，７３に接続された吸引ダクト（図示せず）にて排出する。なお、ポート７１，７２，７３は、これらのうち少なくとも１つだけであってもよい。
【００３７】
次に、上記の鏡面加工装置１を用いた鏡面加工の手順を説明する。
（1）クランプ軸８の下降によりワークホルダ６ａ、６ｂ間に挟持された集合体２を割り出し軸９により水平回転させて、集合体２の被切削端面２１がバイトホルダ３１の前面と平行になるように位置決めする。
（2）ついで、図４に示す状態で、切込み軸４を回転させて、第１スライドテーブル７３を回転軸３の軸方向にスライドさせて、切り込み量が所定の値となるようにバイトホルダ３１の位置調整を行う。
（3）しかるのち、バイトホルダ３１を高速回転させる。ただし、バイトホルダ３１はこれより前、あるいは常時、高速回転させていてもよい。
（4) バイトホルダ３１を高速回転させながら、送り軸５を回転させて、第２スライドテーブル７４を集合体２の被切削端面２１を横切るように矢印Ａ方向にスライドさせ、被切削端面２１の粗削りおよび仕上げ削りを連続的に行う。
（5) 被切削端面２１の切削後、第２スライドテーブル７４を(4) の矢印Ａ方向と逆方向にスライドさせて、バイトホルダ３１を図4に示す位置に復帰させる。
（6) 集合体２を割り出し軸９により９０・水平回転させて、次の新しい被切削端面２１をバイトホルダ３１の前面と平行になるように位置決めする。ついで、必要に応じて上記(2)の操作を行い、以下、(3)〜(5)の操作を繰り返して、集合体２の全周面の仕上げ加工を順次行う。
【００３８】
＜バリ取り方法＞
図９(a)、(b)および(c)は、本発明におけるバリ取り方法を示す説明図である。すなわち、前記したように図９(a)に示す状態から集合体２の一端面２１aを切削加工（粗削りおよび仕上げ削り）すると、図９(b)に示すように当該端面２１aの切削終端にバリ５４が発生する場合がある。このバリ５４を効率よく除去するには、以下のような手順で切削加工を行う。
【００３９】
まず、第１端面２１ａの切削が終了した後、集合体２を矢印Ｂ方向（バイトホルダ３１の矢印Ａで示す進行方向と逆方向）に９０°回転させる。これにより、図９(c)に示すように、第１端面２１ａのバリ５４が第２端面２１ｂの切削開始位置にくる。この状態でバイトホルダ３１を矢印Ａ方向に移動させて、第２端面２１ｂを切削加工することにより、第１端面２１ａのバリ５４を除去することができる。このようにして、第１端面２１ａから第２端面２１ｂ、第３端面２１ｃおよび第４端面２１ｄの順で切削加工を行い、全周面の鏡面仕上げを行う。
【００４０】
このとき、第４端面２１ｄの切削終端にはバリ５４が残存するので、第４端面２１ｄの切削加工後、同条件にて第１端面２１ａを再度切削加工することで、残ったバリ５４を除去することができる。ここで、同条件とは、少なくとも第１端面２１ａの切削条件、特に切り込み量が同じという意味である。第１端面２１ａの切削条件が異なる場合には、新たなバリが発生するおそれがある。
【００４１】
＜面取り加工方法＞
図１０は、集合体２の角部４９を面取り加工する方法を示している。同図に示すように、面取り加工を行う集合体２の角部４９を切削加工できるように、割り出し軸９を回転させて集合体２の位置調整を行う。ついで、バイトホルダ３１を高速回転させながら矢印Ａ方向に移動させると、角部４９は粗削りおよび仕上げ削りの順に連続的に切削加工され、直線状の面取り加工することができる（切削位置を一点鎖線Ｍにて示す）。また、割り出し軸９にて集合体２を回転させながら角部４９の切削を行うと、曲面状（円弧状）の面取り加工を行うこともできる。
【００４２】
＜上記実施形態の変形例および応用例＞
（I) 上記実施形態では、バイトホルダ３１の移動は切り込み軸４および送り軸５の２軸構成で行ったが、これらに加えて、バイトホルダ３１の昇降運動（上下運動）および／または回転軸３の一端を支点としたバイトホルダ３１の回転運動（首振り運動）を含む３軸ないし４軸構成の鏡面加工装置とすることもできる。
【００４３】
（II）上記実施形態では、集合体２の端面を切削加工するために、ワーク運動系１０１に送り手段として送り軸５を設けてバイトホルダ３１を移動させたが、バイトホルダ３１を固定し、ワークホルダ６ａ、６ｂ側に送り手段を設けて、集合体２を移動させて端面２１の切削加工を行ってもよい。
【００４４】
（III) 上記実施形態では、被加工物が、複数枚のフィルムが粘着剤を介して積層された積層フィルム２２を複数枚重ね合わせた集合体２である場合について説明したが、本発明は、他の被加工物、例えばプラスチックフィルムまたはプラスチック板を複数枚重ね合わせた積層板、その他の鏡面加工仕上げを必要とする各種被加工物についても同様にして適用可能である。
【００４５】
（IV）上記実施形態では、被加工物の平面形状が四角形である場合について説明したが、本発明は、平面形状が四角形以外の多角形や円形等の被加工物に関しても同様に適用可能である。
【００４６】
（V) 本発明により粗削りおよび仕上げ削りされる集合体２の端面は平滑性が高いので、端面の光沢を測定することにより、集合体２の鏡面仕上げの品質検査を行うことができる。この方法は、従来、抜き取り検査として行われていた集合体２の端面の表面粗さ測定と比較して、短時間でかつ全面の全数検査が可能になるという利点がある。これにより、製品の品質および設備の稼働率が大幅に向上する。
【図面の簡単な説明】
【００４７】
【図１】本発明における粗削りバイトおよび仕上げ削りバイトを用いたフライカット法の概略を示す説明図である。
【図２】(a)および(b)はそれぞれ本発明におけるバイトホルダを用いた切削方法の一例を示す正面図および平面図である。
【図３】本発明におけるバイトホルダの回転機構の一例を示す一部破断側面図である。
【図４】バイトホルダを含む本発明の鏡面加工装置の一実施形態を示す正面図である。
【図５】図４に示す鏡面加工装置の側面図である。
【図６】被加工物である集合体の保持構造を示す概略図である。
【図７】鏡面加工装置の制御システムを示すブロック図である。
【図８】(a)および (b)は被加工物の切削加工により生じた切り屑を吸引除去するための吸引手段を示す側面図および正面図である。
【図９】(a)、(b)および(c)は、本発明におけるバリ取り方法の一例を示す説明図である。
【図１０】本発明において、集合体の面取り加工方法の一例を示す説明面図である。
【符号の説明】
【００４８】
１：鏡面加工装置、２：集合体、３：回転軸、４：切り込み軸、５：送り軸、６ａ、６ｂ：ワークホルダ、８：クランプ軸、９：割り出し軸、１０、１１、１２サーボモータ、３１：バイトホルダ、３２：粗削りバイト、３３：仕上げ削りバイト
【図１】
2008183715.tif 000003
【図２】
2008183715.tif 000004
【図３】
2008183715.tif 000005
【図４】
2008183715.tif 000006
【図５】
2008183715.tif 000007
【図６】
2008183715.tif 000008
【図７】
2008183715.tif 000009
【図８】
2008183715.tif 000010
【図９】
2008183715.tif 000011
【図１０】
2008183715.tif 000012